(57)【要約】【課題】振動波駆動装置において、振動子突起先端に形成された摺動部材および移動体間の接触状態が不安定になることにより発生する回転速度ムラをなくす。【解決手段】弾性体に電気機械変換素子が接着固定され、且つ弾性体の突起形状の先端に摺動部材を設けた振動子と、加圧部材により振動子に加圧接触し、回転自在な移動体とにより構成される振動波駆動装置において、弾性体の突起形状の先端に形成された摺動部材の摺動面に溝部を設けた。【選択図】　図１
2004007858.tif 000002
【特許請求の範囲】
【請求項１】
弾性体に電気機械変換素子が接着固定され、且つ前記弾性体の突起形状の先端に摺動部材を設けた振動子と、加圧部材により前記振動子に加圧接触し、回転自在な移動体とにより構成される振動波駆動装置において、
前記弾性体の突起形状の先端に形成された摺動部材の摺動面に溝部を設けたことを特徴とする振動波駆動装置。
【請求項２】
前記摺動部材の摺動面に形成される溝部が、装置本体の回転中心軸から放射方向に設けられていることを特徴とする請求項１に記載の振動波駆動装置。
【請求項３】
前記摺動部材の摺動面に形成される溝部が、装置本体の移動体の回転方向に設けられていることを特徴とする請求項１に記載の振動波駆動装置。
【請求項４】
前記摺動部材の摺動面に形成される溝部が、装置本体の回転中心軸から放射方向および移動体の回転方向に設けられていることを特徴とする請求項１に記載の振動波駆動装置。
【請求項５】
前記電気機械変換素子が、圧電素子であることを特徴とする請求項１に記載の振動波駆動装置。
【請求項６】
前記摺動部材が、樹脂材で構成されていることを特徴とする請求項１に記載の振動波駆動装置。
【請求項７】
請求項１から６のいずれかに記載の振動波駆動装置を有することを特徴とする電気機器。
【発明の詳細な説明】
【０００１】
【発明の属する技術分野】
本発明は、複写機、レーザプリンタ、インクジェットプリンタ等の各種ＯＡ機器、産業用ＦＡ機器、その他半導体製造装置等のように回転速度や位置決めに高い精度を要求される機器に用いられる振動波駆動装置に関するものである。
【０００２】
【従来の技術】
従来技術を図７から図９を用いて説明する。
【０００３】
図７は振動波駆動装置の外観および断面形状を示し、図８は振動波駆動装置の振動子に形成される摺動部の形状を示し、図９は振動波駆動装置の駆動時の摺動部材と移動体の摩擦接触状態を示す図である。
【０００４】
図７において振動子１は弾性体２、圧電素子３、摺動部材４により形成され、移動体５はバネ６、ディスク７等で構成される加圧部材８により振動子１に加圧接触している。回転軸９には回転角検出手段１０が設けられており、出力される信号は、振動波駆動装置の回転速度制御、位置決めの制御信号として使用される。
【０００５】
図８において振動子１に形成される突起形状部を持つ摺動部材４は樹脂等の高分子材料で形成され、摺動面１１で移動体５と加圧、接触している。図９上段図は、振動波駆動装置の駆動状態における摺動部の状態を拡大して示したものである。この図に基づき振動波駆動装置の回転数、進行性弾性波の振幅、振動子１と移動体５の摺動部の接触状態を説明する。
【０００６】
振動子１の圧電素子３に所定の電圧を印加して進行性弾性波を発生させると、周知の通り移動体５が進行性弾性波の進行方向とは逆の方向に回転する。この時、移動体５には振動子１からの力を受けて振動子１と同じ次数の振動が発生し、図９上段図のように変形を伴つている。
【０００７】
回転数が低い場合、すなわち進行性弾性波の振幅が小さい場合には、図９中段図のように振動子１と移動体５に発生している振幅はほぼ等しくなり、移動体５の摺動部は、ほぼ全面で摺動部材４と接触しながら回転している。この状態から、不図示の駆動回路により回転数を上げる操作を行うと、進行性弾性波の振幅が徐々に大きくなり回転数が上昇する。
【０００８】
振動子１の振幅が大きくなるに従い、移動体５に発生する振幅も大きくなるが、変形限界のため、ある振幅に速すると図９下段図に示すように振動体１と移動体５の間に振幅差が発生し始め、振動体１が発生している進行性弾性波の谷部摺動部では移動体５が離れたり接触したりする事を繰り返す領域になる。
【０００９】
さらに回転数を上昇させると、振動子１の振幅が移動体５の振幅より完全に大きくなるために、図９上段図に示すように進行性弾性波の谷部では移動体５も常に離れた状態で駆動される。
【００１０】
【発明が解決しようとする課題】
上記従来技術の振動波駆動装置において、振動子１と移動体５の振幅がほぼ等しい状態、つまり低速駆動の場合、もしくは振動子１の振幅が移動体５の振幅よりも十分大きい場合、つまり高速駆動の場合には、摺動部で発生している摩擦力のバランスがとれているため、安定した速度で駆動する事が可能である。
【００１１】
しかしながら、振動子１の振幅が移動体５の振幅より大きくなろうとする領域においては、上記従来技術で記載したように移動体５の摺動部が振動子１の発生する進行性弾性波の谷部から離れたり接触したりすることを繰り返すため、摩擦力のバランスがくずれて、回転数が安定しない不安定な系となる。
【００１２】
すなわち、移動体５の摺動部が振動子１の摺動部材４に接触している時は、回転方向とは逆の摩擦力、つまり回転方向に対して負となるような力を受け、逆に移動体５の摺動部が振動子１の摺動部材４から離れている時には前述の負となるようなカは受けない、という事を常に繰り返すためである。
【００１３】
特に、この振幅領域で高精度な速度制御を行おうとする場合において顕著な問題となる。また、一般的に摩擦係数が高い摺動部材を使用する程、振動波駆動装置の高トルク化、大出力化は可能であるが、摩擦力のバランスの差もより大きくなるためより顕著な問題となりやすい。
【００１４】
【課題を解決するための手段】
上記課題を解決するために、弾性体の各々の突起形状の先端に形成される摺動部材に、少なくとも１個所以上の溝部を設けて摺動部材を分割することにより、摺動部材の回転方向の剛性を低下させることが可能となり、従って低い回転数で駆動する場合においても進行性弾性波の谷部で発生する回転方向とは逆に作用する負の力を軽減させることが可能となる。
【００１５】
摺動部材に形成される溝部は、振動波駆動装置の中心軸から放射方向、すなわち径方向に設けられていることが好ましい。または、振動波駆動装置の移動体の回転方向、すなわち周方向に設けても良い。さらに、振動波駆動装置の中心軸から放射方向、すなわち径方向と、移動体回転方向、すなわち周方向の両方に設けても良い。
【００１６】
なお、本発明の振動波駆動装置は、複写機、レーザプリンタ、インクジェットプリンタ等の各種ＯＡ機器、産業用ＦＡ機器、その他半導体製造装置等の電気器に用いることができる。
【００１７】
【発明の実施の形態】
以下、図１から図６を用いて本発明の実施例を説明する。
【００１８】
（第１の実施例）
図１は本発明の第１の実施例を示す。弾性体２に接着固定される圧電素子３、摺動部材４により構成される振動子１において、摺動部材４に溝部２０が形成されている。
【００１９】
本実施例の場合、溝部の形成される方向は振動波駆動装置の中心軸から放射方向、すなわち径方向に形成されている。このような振動子を用いて振動波駆動装置を構成した場合の特性と、従来技術で構成される振動子を用いた場合の特性を比較した結果を図２に示す。
【００２０】
図２は振動波駆動装置の特性を表わすのに一般的に用いられる、印加電圧周波数と移動体回転数の関係を示すものであり、横軸は印加電圧周波数、縦軸は移動体の回転数をそれぞれ表わしている（以下ｆ−ｎ特性と略す）。
【００２１】
図２上段図は従来技術の振動波駆動装置のｆ−ｎ特性、図２下段図は本実施例１の振動波駆動装置のｆ−ｎ特性を測定し結果を示したものである。
【００２２】
これらの結果から明らかなように、従来技術の振動波駆動装置のｆ−ｎ特性は印加電圧周波数をスイープダウンしていくと、低回転時には滑らかに回転数は上昇するが、ある回転数に達すると不安定な領域に入り、大きな回転速度ムラを発生しながら上昇を続け、再び安定した領域になる。
【００２３】
ところが、本実施例１の振動波駆動装置では図２下段図に示すように回転速度ムラを発生することなく滑らかに回転数は上昇している。
【００２４】
（第２の実施例）
図３は本発明第２の実施例を示す。弾性体２に接着固定される圧電素子３、摺動部材４により構成される振動子１において、摺動部材４に溝部２０が形成されている。
【００２５】
本実施例の場合、溝部の形成される方向は振動波駆動装置の移動体５の回転方向、すなわち周方向に形成されている。実施例１と同様に測定結果を図４に示す。
【００２６】
図４上段図が従来技術の振動波駆動装置、図４下段図が本実施例の振動波駆動装置の結果を示しており、第１の実施例と同様な効果がある事がわかる。
【００２７】
（第３の実施例）
図５は本発明第３の実施例を示す。弾性体２に接着固定される圧電素子３、摺動部材４により構成される振動子１において、摺動部材４に溝部２０、２１が形成されている。
【００２８】
本実施例の場合、溝部の形成される方向は、振動波駆動装置の中心軸から放射方向、すなわち径方向と、振動波駆動装置の移動体５の回転方向、すなわち周方向の２個所に形成されている。
【００２９】
実施例１と同様に測定結果を図６に示す。図６上段図が従来技術の振動波駆動装置、図６下段図が本実施例の振動波駆動装置の結果を示しており、第１の実施例と同じように効果がある事が分かる。
【００３０】
不図示ではあるが実験の結果、実施例３の場合、特に高トルクまたは大出力の振動波駆動装置において特に効果を発揮することが分かっている。
【００３１】
【発明の効果】
以上説明したように振動波駆動装置の摺動部材に溝部を形成する事により、摺動部材の回転方向の剛性を下げること事が可能となるから、振動子の振幅が移動体の振幅より大きくなる時に発生する接触不安定領域においても安定して振動波駆動装置を駆動することが可能となる。
【図面の簡単な説明】
【図１】本発明の第１の実施形態を示す。
【図２】従来技術における振動波駆動装置のｆ−ｎ特性（上段）、第１の実施例における振動波駆動装置のｆ−ｎ特性（下段）。
【図３】本発明の第２の実施形態を示す。
【図４】従来技術における振動波駆動装置のｆ−ｎ特性（上段）、第２の実施例における振動波駆動装置のｆ−ｎ特性（下段）。
【図５】本発明の第３の実施形態を示す。
【図６】従来技術における振動波駆動装置のｆ−ｎ特性（上段）、第２の実施例における振動波駆動装置のｆ−ｎ特性（下段）。
【図７】従来技術における振動波駆動装置の外観および断面形状図。
【図８】従来技術における振動波駆動装置の振動子に形成される摺動部の形状図。
【図９】従来技術における振動波駆動装置の駆動時の摺動部材と移動体の摩擦接触状態を示す図。
【符号の説明】
１　振動子
２　弾性体
３　圧電素子
４　摺動部材
２０　溝部
【図１】
2004007858.tif 000003
【図２】
2004007858.tif 000004
【図３】
2004007858.tif 000005
【図４】
2004007858.tif 000006
【図５】
2004007858.tif 000007
【図６】
2004007858.tif 000008
【図７】
2004007858.tif 000009
【図８】
2004007858.tif 000010
【図９】
2004007858.tif 000011